(57)【要約】【課題】停電等の異常が発生した場合でも、定着器内における用紙の過剰な加熱を確実に防止することができる画像形成装置の提供。【解決手段】連続紙に形成したトナー像を加熱する定着器６１を少なくとも備える画像形成装置において、前記定着器６１の上流側に前記連続紙を裁断する裁断器６０を有し、前記定着器６１の下流側に前記連続紙を排出する排紙手段（排紙ローラ６５）を有し、制御部は、前記定着器６１内に前記連続紙が停滞する異常が発生した時に、前記裁断器６０に前記連続紙を裁断させ、前記排紙手段に前記定着器６１内に残存する前記連続紙を排出させる制御を行う。【選択図】図２
2010060927.tif 000002
【特許請求の範囲】
【請求項１】
連続紙に形成したトナー像を加熱する定着器を少なくとも備える画像形成装置において、
前記定着器の上流側に前記連続紙を裁断する裁断器を有し、前記定着器の下流側に前記連続紙を排出する排紙手段を有し、
制御部は、前記定着器内に前記連続紙が停滞する異常が発生した時に、前記裁断器に前記連続紙を裁断させ、前記排紙手段に前記定着器内に残存する前記連続紙を排出させる制御を行うことを特徴とする画像形成装置。
【請求項２】
前記裁断器は、前記定着器の入り口近傍に配置されていることを特徴とする請求項１に記載の画像形成装置。
【請求項３】
前記裁断器及び前記排紙手段は、商用電力を利用する主駆動部とは異なる、蓄積したエネルギーを利用する補助駆動部によって駆動可能であることを特徴とする請求項１又は２に記載の画像形成装置。
【請求項４】
前記補助駆動部は、前記主駆動部によって回転された部材の慣性エネルギーを利用することを特徴とする請求項３に記載の画像形成装置。
【請求項５】
前記補助駆動部は、前記主駆動部によって変形された弾性部材の復元エネルギーを利用することを特徴とする請求項３に記載の画像形成装置。
【請求項６】
前記補助駆動部は、蓄電池に蓄積された電力を利用することを特徴とする請求項３に記載の画像形成装置。
【発明の詳細な説明】
【技術分野】
【０００１】
本発明は、画像形成装置に関し、特に、連続した用紙に画像を形成する画像形成装置に関する。
【背景技術】
【０００２】
電子写真方式の画像形成装置では、帯電装置により一様に帯電された感光体ドラムに露光装置から光を照射して静電潜像を形成し、現像装置で静電潜像にトナーを付着させてトナー像として顕像化し、感光体ドラム上のトナー像を中間転写ベルトを介して用紙に転写し、その後、定着器で加熱することによりトナー像を用紙上に定着させる処理を行っている。
【０００３】
上記画像形成装置では、通常、トナー像は１枚毎に分離した用紙（以下、枚葉紙と呼ぶ。）に転写されるが、ロール紙や折り畳み紙などの連続した用紙（以下、連続紙と呼ぶ。）に転写することも可能である。例えば、下記特許文献１には、ロール紙に画像が形成可能な装置が開示されている。また、下記特許文献２には、折り畳み紙に画像が形成可能な装置が開示されている。
【０００４】
また、トナー像を用紙上に定着させる方式として、加熱ローラ及び加圧ローラで用紙を挟み込んで加熱及び加圧を行う方式（以下、接触型と呼ぶ。）と、加熱ランプの光によって加熱を行う方式（以下、非接触型と呼ぶ。）とがある。例えば、下記特許文献１−５には、非接触型の定着器を備える画像形成装置が開示されている。
【０００５】
ここで、用紙上のトナー像を適切に加熱するために、給紙ローラや排紙ローラ、搬送ベルト等の搬送部の動作が制御されるが、停電によって画像形成装置に供給される電力が停止したり、紙詰まりなどの異常が発生した場合には、用紙が定着器内に停滞し、加熱ローラの余熱や加熱ランプの輻射熱によって用紙が過剰に加熱されてしまい、発煙や発火が発生してしまう。
【０００６】
この問題に対して、下記特許文献３、４には、定着器にシャッター部材や熱線遮蔽体を配置し、異常発生時に、用紙と加熱ランプとの間にシャッター部材や熱線遮蔽体を移動させる技術が開示されている。また、下記特許文献５には、熱線遮蔽体として熱線放射体の前後に設けた熱線遮蔽体搬送用のプーリに張架された断熱ベルトを用いる技術が開示されている。
【０００７】
【特許文献１】特開２００３−２２８２５４号公報
【特許文献２】特開平７−１９９７０５号公報
【特許文献３】特開昭６２−２６４０８２号公報
【特許文献４】特開平９−３４３０７号公報
【特許文献５】特開２００１−３０５８９２号公報
【発明の開示】
【発明が解決しようとする課題】
【０００８】
しかしながら、上述したシャッター部材や熱線遮蔽体を用紙と加熱ランプとの間の所定の位置へ素早く移動させることは非常に難しい。また、用紙が蛇行した場合には、シャッター部材や熱線遮蔽体の移動が邪魔されてしまう場合も考えられる。また、上記構成では、シャッター部材や熱線遮蔽体自体が加熱され、シャッター部材や熱線遮蔽体からの輻射熱によって用紙が加熱されてしまい、発煙や発火を確実に防止することができない。また、用紙と加熱ランプとの間にシャッター部材や熱線遮蔽体を移動させる方法は非接触型の定着器にしか適用することができず、接触型の定着器における同様の問題を解決することはできない。
【０００９】
本発明は、上記問題点に鑑みてなされたものであって、その主たる目的は、停電等の異常が発生した場合でも、定着器内における用紙の過剰な加熱を確実に防止することができる画像形成装置を提供することにある。
【課題を解決するための手段】
【００１０】
上記目的を達成するため、本発明は、連続紙に形成したトナー像を加熱する定着器を少なくとも備える画像形成装置において、前記定着器の上流側に前記連続紙を裁断する裁断器を有し、前記定着器の下流側に前記連続紙を排出する排紙手段を有し、制御部は、前記定着器内に前記連続紙が停滞する異常が発生した時に、前記裁断器に前記連続紙を裁断させ、前記排紙手段に前記定着器内に残存する前記連続紙を排出させる制御を行うものである。
【００１１】
本発明においては、前記裁断器は、前記定着器の入り口近傍に配置されている構成とすることができる。
【００１２】
また、本発明においては、前記裁断器及び前記排紙手段は、商用電力を利用する主駆動部とは異なる、蓄積したエネルギーを利用する補助駆動部によって駆動可能であり、前記補助駆動部は、前記主駆動部によって回転された部材の慣性エネルギーを利用する構成、又は、前記主駆動部によって変形された弾性部材の復元エネルギーを利用する構成、又は、蓄電池に蓄積された電力を利用する構成とすることができる。
【発明の効果】
【００１３】
本発明の画像形成装置によれば、停電等の異常が発生した場合でも、定着器内における用紙の過剰な加熱を確実に防止することができる。
【００１４】
その理由は、定着器の上流側に連続紙を裁断する裁断器を配置し、当該裁断機及び定着器の下流側に配置される排紙ローラを蓄積したエネルギーで駆動する補助駆動機構を設け、停電等の異常発生時に、補助駆動機構を用いて、定着器の上流側で連続紙を裁断し、排紙ローラによって定着器内に残存する用紙を強制的に排出するからである。
【発明を実施するための最良の形態】
【００１５】
背景技術で示したように、電子写真方式の画像形成装置では、用紙上に転写したトナー像を定着器で加熱して定着させる処理が行われるが、停電等の異常発生時に用紙が定着器内に停滞すると、加熱ローラの余熱や加熱ランプの輻射熱により用紙が過剰に加熱されてしまい、発煙や発火が発生してしまう。この問題に対して、枚葉紙を用いる装置では定着器内に残存する用紙を強制的に排出すればよいが、連続紙を用いる装置では用紙が連続して供給されるために上記方法では対処できない。
【００１６】
また、非接触型の定着器に対して、異常発生時に加熱ランプと用紙との間にシャッター部材や熱線遮蔽体を移動させる方法があるが、シャッター部材や熱線遮蔽体を瞬時に移動させるのは困難であり、用紙が蛇行した場合にはシャッター部材や熱線遮蔽体を移動させることができない場合も生じる。
【００１７】
また、シャッター部材や熱線遮蔽体を移動させることができたとしても、加熱ランプによってシャッター部材や熱線遮蔽体自体が加熱されてしまい、シャッター部材や熱線遮蔽体の輻射熱によってやはり用紙が加熱されてしまう。
【００１８】
更に、この方法は非接触型の定着器に適用可能な方法であり、加熱ローラを用紙に接触させて加熱する接触型の定着器では、加熱ローラと用紙との間にシャッター部材や熱線遮蔽体を移動させることはできない。
【００１９】
そこで、本発明では、ロール紙や折り畳み紙などの連続紙を用いる画像形成装置において、シャッター部材や熱線遮蔽体を利用するのではなく、異常発生時に定着器内から連続紙を速やかに排出できるような機構を設ける。具体的には、定着器の上流側（好ましくは定着器の入り口近傍）に連続紙を裁断する裁断器を配置し、異常発生時に裁断器で連続紙を強制的に裁断する。また、上記裁断機及び定着器を通過した用紙を排出する排紙ローラを駆動する機構として、フライホイールやバネ、蓄電池などの蓄積したエネルギーを利用する補助駆動部を設け、停電等によって電力が停止した場合であっても補助駆動部で裁断機及び排紙ローラを駆動して、定着器内に残存する用紙を確実に排出できるようにする。
【００２０】
これにより、接触型及び非接触型のいずれの定着器を用いる画像形成装置においても、異常発生時に定着器内で用紙が過剰に加熱されることがなくなり、用紙の発煙や発火を確実に防止することができる。
【実施例】
【００２１】
上記した本発明の一実施の形態についてさらに詳細に説明すべく、本発明の一実施例に係る画像形成装置について、図１乃至図１０を参照して説明する。図１は、本実施例の画像形成装置の構成を示すブロック図であり、図２乃至図４は、画像形成装置の画像形成部の構造例を示す断面図である。また、図５は、本実施例の定着器及び裁断器の構造及び動作を模式的に示す図であり、図６は、本実施例の裁断器の構造及び動作を模式的に示す図である。また、図７乃至図９は、本実施例の画像形成装置の排紙ローラの駆動機構の例を示す図であり、図１０は、裁断器の駆動機構の例を示す図である。
【００２２】
図１に示すように、本実施例の画像形成装置１００は、ＣＰＵ（Central Processing Unit）１１、ＲＯＭ（Read Only Memory）１２、ＲＡＭ（Random Access Memory）１３などからなる制御部１０と、ＨＤＤ（Hard Disk Drive）２０と、表示操作部３０と、画像処理部４０と、画像形成部５０などで構成される。
【００２３】
ＲＯＭ１２は、画像形成装置全体の動作を制御するためのプログラムや制御に必要なデータを記憶する。ＲＡＭ１３は、ＣＰＵ１１による制御に必要なデータ及び制御動作時に一時記憶が必要なデータ等を記憶する。そして、ＣＰＵ１１は、ＲＯＭ１２、ＲＡＭ１３と協働して画像形成装置の各部の動作を制御する制御部１０として機能する。本実施例では、特に、停電や紙詰まりなどの異常を検知し、異常発生時に、後述する画像形成部５０に設けた裁断器を動作させて連続紙を裁断し、排紙ローラを駆動させて定着器内に残存する用紙を排出させる制御を行う。また、異常発生時に、裁断器や排紙ローラを駆動させる駆動部を、商用電力を利用する主駆動部から蓄積したエネルギーを利用する補助駆動部に切り替え、停電等によって電力の供給が停止した場合であっても定着器内に残存する用紙を排出できるようにする。なお、この制御はハードウェアとして実行してもよいし、ソフトウェアとして実行してもよい。また、停電等によって電力の供給が遮断された場合であっても上記制御が実行できるように、制御部１０には蓄電池等の補助電源が接続されているものとする。
【００２４】
ＨＤＤ２０は、印刷ジョブや制御部１０の制御に必要なデータ等を保存する。
【００２５】
表示操作部３０は、ＬＣＤ（Liquid Crystal Display）などの表示部と表示部を覆うタッチパネルなどの操作部から構成され、画像形成装置１００の各種設定や異常発生時の通知等を行う。なお、ここでは表示部と操作部とが一体となった構成としているが、表示部と操作部は別々に構成してもよい。
【００２６】
画像処理部４０は、印刷ジョブのデータをラスタライズし、必要に応じて画像処理やスクリーニングを行って、画像形成部５０で印刷可能なビットマップデータを形成する。
【００２７】
画像形成部５０は、電子写真方式の作像プロセスを利用して、画像処理部４０で形成したビットマップデータの画像を用紙に形成する。具体的には、図２に示すように、書き込み部（図示せず）と、感光体部と、転写部と、裁断器と、定着器と、搬送部などで構成される。
【００２８】
書き込み部（図示せず）は、画像処理部４０から入力されたビットマップデータに基づいて感光体ドラム５１にレーザ光を照射して画像の潜像を形成する。
【００２９】
感光体部は、感光体ドラム５１と現像器５２と帯電器５３と感光体クリーニング部５４などで構成され、感光体ドラム５１上にイエロー（Ｙ）、マゼンタ（Ｍ）、シアン（Ｃ）、黒（Ｋ）の各色のトナー像を形成する。
【００３０】
転写部は、１次転写ローラ５５と中間転写ベルト５６とベルトクリーニング部５７と２次転写ローラ５８とローラクリーニング部５９などで構成され、１次転写ローラ５５により感光体部で形成されたトナー像を中間転写ベルト５６に転写し、２次転写ローラ５８により中間転写ベルト５６上に形成されたトナー像をロール紙や折り畳み紙などの連続紙に転写する。
【００３１】
裁断器６０は、定着器６１の上流側（定着器６１に連続紙を供給する側、図では、定着器６１の入り口近傍）に設置され、連続紙の上下に配置された２つの刃を噛み合わせることにより、搬送部により搬送された連続紙を裁断する。
【００３２】
定着器６１は、赤外線ランプ等の加熱ランプと加熱ランプの光を用紙方向に反射する反射板などを備え、用紙上に転写されたトナー像を加熱して定着させる。なお、上記加熱ランプの種類や点灯方式等は特に限定されず、フラッシュランプのように瞬間的に光を発するランプとしてもよい。また、セラミックヒータなど、より波長の長い熱源を用いると、色による発熱量の差が少なくなるため好適である。
【００３３】
搬送部は、給紙ローラ６２やループローラ６３、レジストローラ６４、排紙ローラ６５等で構成され、転写部に連続紙を供給し、転写、定着後の連続紙を排出する。
【００３４】
なお、図２では、ロール状に巻回された連続紙に画像を形成する画像形成部５０を例示したが、図３に示すように、折り畳まれた連続紙に画像を形成する構成としてもよい。また、図２及び図３では、加熱ランプで加熱する非接触型の定着器６１を例示したが、図４に示すように、加熱ローラ６１ｃと加圧ローラ６１ｄとで加熱、加圧する接触型の定着器としてもよい。
【００３５】
このような構成の画像形成装置において、停電や紙詰まり等の異常の発生によって用紙の搬送が停止した場合は、連続紙が定着器６１内の加熱ランプの近傍でストップし、発煙、発火する場合があった。発煙、発火時には、通常、加熱ランプに供給する電力を遮断する措置が取られているが、加熱ランプへの電力の供給が遮断されても、加熱ランプの余熱で用紙が加熱され、発煙、発火が生じる場合がある。
【００３６】
そこで、本発明では、図２乃至図４及び図５（ａ）に示すように、異常発生時に定着器６１内に用紙が残存する用紙を排出できるように、定着器６１近傍に裁断器６０を配置し、停電等によって搬送部の動作が停止した時には、図５（ｂ）及び図６に示すように、連続紙の両側に配置した２つの刃を噛み合わせることによって用紙を裁断し、裁断器６０の下流側の用紙を強制的に定着器６１から排出できるようにする。これにより、定着器６１内の用紙の発煙、発火を防止することができる。
【００３７】
その際、裁断器６０の設置場所を定着器６１の上流側（好ましくは、入口近傍）とすると、用紙の排出方向が通常の用紙進行方向と同じになり、用紙搬送方向を切り換える時間が不要となるため、用紙が定着器６１内に留まる時間を短縮することができ、用紙の発煙、発火の可能性を低くすることができる。また、用紙の搬送方向を反転させるための特別な機構を付加する必要がないため、コスト的にも有利にすることができる。なお、図２乃至図４では、裁断器６０を定着器６１と転写部との間に配置しているが、定着器６１と転写部との間にスペースがない場合には、裁断器６０を転写部の上流側に配置することもできる。
【００３８】
また、停電によって画像形成装置１００への電力供給がストップした場合であっても、定着器６１内に残存する用紙を定着器６１の下流側に排出できるようにする必要があるため、本実施例では、電動モータで排紙ローラ６５を駆動する主駆動部に加えて、蓄積されたエネルギーによって排紙ローラ６５を駆動する補助駆動部を設け、制御部１０によって主駆動部と補助駆動部とを切り替え可能にする。以下、駆動部の具体例を示す。
【００３９】
第１の例は、蓄積されたエネルギーとして慣性エネルギーを利用するものである。例えば、図７に示すように、排紙ローラ６５の駆動軸に第１駆動ギア６６ａを接続すると共に、第１駆動ギア６６ａに第２駆動ギア６６ｂを噛み合わせ、第２駆動ギア６６ｂの駆動軸に第２クラッチ６７ｂを介して電動モータ６９を接続する。また、排紙ローラ６５の駆動軸に第１クラッチ６７ａを介してフライホイール（弾み車）６８を取り付ける。そして、制御部１０により電動モータ６９、第１クラッチ６７ａ及び第２クラッチ６７ｂを制御する。
【００４０】
この構成では、起動時や駆動時は、制御部１０は第１クラッチ６７ａ及び第２クラッチ６７ｂの双方を接続し、図示しない装置電源ユニットから供給される電力によって駆動される電動モータ６９の動力によって排紙ローラ６５及びフライホイール６８を回転させる。また、停電等の異常発生時は、制御部１０は第２クラッチ６７ｂを切断して第１クラッチ６７ａのみを接続し、電動モータ６９のトルクの影響を無くしてフライホイール６８の慣性力によって排紙ローラ６５を駆動する。また、装置の停止時には、制御部１０は第１クラッチ６７ａを切断して第２クラッチ６７ｂのみを接続し、排紙ローラ６５の駆動を停止させる。
【００４１】
このように、第１クラッチ６７ａ及び第２クラッチ６７ｂを適切に制御することによって、停電等により電動モータ６９が停止した場合でも、フライホイール６８に蓄積された慣性エネルギーによって排紙ローラ６５の回転が継続するため、定着器６１内から用紙を排出することができる。
【００４２】
なお、ここでは排紙ローラ６５の駆動軸に第１クラッチ６７ａを介してフライホイール６８を接続する構成としたが、排紙ローラ６５の駆動軸に第２クラッチ６７ｂを介して電動モータ６９を接続し、第２駆動ギア６６ｂの駆動軸に第１クラッチ６７ａを介してフライホイール６８を接続する構成としてもよい。また、フライホイール６８は裁断器６０で裁断された用紙を定着器６１内から排出できるように排紙ローラ６５を駆動する運動エネルギーを貯えていればよく、そのサイズや形状、重量等は適宜設定可能である。
【００４３】
また、第２の例は、蓄積されたエネルギーとして弾性体の復元エネルギーを利用するものである。例えば、図８（ａ）に示すように、排紙ローラ６５の駆動軸に第１駆動ギア６６ａを接続すると共に、第１駆動ギア６６ａに第２駆動ギア６６ｂ及び第３駆動ギア６６ｃを噛み合わせる。また、第２駆動ギア６６ｂの駆動軸に第１クラッチ６７ａを介してバネやゼンマイなどの形状が復元する弾性部材を備える駆動ユニット７０を接続する。また、第３駆動ギア６６ｃの駆動軸に第２クラッチ６７ｂを介して電動モータ６９を接続する。そして、制御部１０により電動モータ６９、駆動ユニット７０、第１クラッチ６７ａ及び第２クラッチ６７ｂを制御する。
【００４４】
この構成では、起動時や駆動時は、制御部１０は第１クラッチ６７ａを切断して第２クラッチ６７ｂのみを接続し、図示しない装置電源ユニットから供給される電力によって駆動される電動モータ６９の動力によって排紙ローラ６５を回転させる。また、停電等の異常発生時は、制御部１０は第２クラッチ６７ｂを切断して第１クラッチ６７ａのみを接続し、電動モータ６９のトルクの影響を無くして駆動ユニット７０のバネやゼンマイなどの復元力によって排紙ローラ６５を駆動する。また、装置の停止時には、制御部１０は第１クラッチ６７ａを切断して第２クラッチ６７ｂのみを接続し、排紙ローラ６５の駆動を停止させる。
【００４５】
このように、第１クラッチ６７ａ及び第２クラッチ６７ｂを適切に制御することによって、停電等により電動モータ６９が停止した場合でも、駆動ユニット７０に蓄積された復元エネルギーによって排紙ローラ６５の回転が継続し、定着器６１内から用紙を排出することができる。
【００４６】
なお、駆動ユニット７０にエネルギーを蓄積する方法としては、例えば、図８（ｂ）に示すように、通常動作時には、第２駆動ギア６６ｂ、第１クラッチ６７ａ及び駆動ユニット７０等の補助駆動部を移動させ、第２駆動ギア６６ｂを第３駆動ギア６６ｃに噛み合わせて、エネルギーを放出する場合と逆の方向に第２駆動ギア６６ｂを回転させる構成とすることができる。その場合、所定の回転を行った後、又は、所定のトルクを検出した後、又は、バネ（ゼンマイ）の形状の変形を検出した後、バネ（ゼンマイ）にロックを掛けて、駆動ユニット７０を元の位置に戻せばよい。また、別の方法として、起動時に電動モータ６９を逆回転させてバネ（ゼンマイ）を巻き上げる構成としてもよいし、バネ（ゼンマイ）を巻き上げるための別のモータを配置してもよいし、エネルギーを蓄積する時に第１駆動ギア６６ａと第２駆動ギア６６ｂとの間を空けて他のギアを噛み合わせる構成としてもよい。
【００４７】
また、第３の例は、蓄積されたエネルギーとして電力を利用するものである。例えば、図９に示すように、排紙ローラ６５の駆動軸に第１駆動ギア６６ａを接続し、第１駆動ギア６６ａに第２駆動ギア６６ｂを噛み合わせ、第２駆動ギア６６ｂの駆動軸に電動モータ６９を接続する。また、電動モータ６９の電源ラインに分岐スイッチ７１を接続し、分岐の一方をＡＣ電源７４に接続される装置電源ユニット７３に接続し、分岐の他方を蓄電池７２に接続する。そして、制御部１０により電動モータ６９、分岐スイッチ７１、装置電源ユニット７３を制御する。
【００４８】
この構成では、起動時や駆動時は、制御部１０は分岐スイッチ７１を制御して電動モータ６９と装置電源ユニット７３とを接続し、装置電源ユニット７３の電力で電動モータ６９を動かして排紙ローラ６５を駆動する。また、停電等の異常発生時は、制御部１０は分岐スイッチ７１を制御して電動モータ６９と蓄電池７２とを接続し、蓄電池７２に貯えた電力で電動モータ６９を動かして排紙ローラ６５を駆動する。また、装置の停止時には、制御部１０は分岐スイッチ７１を制御して電動モータ６９を装置電源ユニット７３及び蓄電池７２のいずれにも接続せず（若しくは、電動モータ６９を装置電源ユニット７３に接続し、装置電源ユニット７３の電力供給を停止させて）、排紙ローラ６５の駆動を停止させる。
【００４９】
このように、分岐スイッチ７１を適切に制御することによって、停電等により装置電源ユニット７３からの電力供給が停止した場合でも、蓄電池７２に蓄積されたエネルギーによって排紙ローラ６５の回転が継続し、定着器６１内から用紙を排出することができる。
【００５０】
なお、ここでは電力を蓄積する手段として蓄電池７２を用いる構成としたが、裁断器６０で裁断された用紙を定着器６１内から排出できるように排紙ローラ６５を駆動する電力を貯えることができるものであればよく、コンデンサや乾電池などを利用してもよい。また、図９では、装置電源ユニット７３と蓄電池７２とを接続し、通常動作時に装置電源ユニット７３から供給される電力によって蓄電池７２にエネルギーを蓄積する構成としたが、蓄電池７２にエネルギーを蓄積するための他の電力源を配置してもよい。
【００５１】
以上、停電等の異常発生時に補助駆動部によって排紙ローラ６５を駆動する方法について述べたが、裁断器６０も同様に駆動することができる。例えば、図１０に示すように、一方の刃の側面にストレートギア７５を設け、そのストレートギア７５に駆動ギア７６（排紙ローラ６５のギアと連動させてもよいし、独立して駆動してもよい。）を噛み合わせ、駆動ギア７６を回転させることによって一方の刃が駆動するようにしておく。そして、フライホイール（弾み車）の慣性エネルギーや巻き上げられたバネ（ゼンマイ）の復元エネルギーによって駆動ギア７６を回転させたり、蓄電池等から供給される電力で電動モータを動かして駆動ギア７６を回転させることによって刃を移動させ、用紙の裁断を行う構成とすることができる。また、停電等の異常発生時に電気的又は機械的にストッパを外し、用紙の上方の刃を自重で落下させて用紙の裁断を行う構成とすることもできる。
【００５２】
このように、裁断器６０についても蓄積されたエネルギーを利用して少なくとも一方の刃を移動させることによって、停電等により装置電源ユニット７３からの電力供給が停止した場合でも、連続紙を確実に裁断することができる。なお、この用紙の裁断は、用紙の搬送速度よりも非常に速い速度で行うため、用紙の搬送を止めずに裁断を行っても用紙が破れてしまうことはない。
【００５３】
以上説明したように、定着器６１の上流側に裁断器６０を配置し、停電や紙詰まり等の異常が発生した際に、蓄積されたエネルギーを利用して裁断器６０で連続紙を裁断し、定着器６１の下流側に配置された排紙ローラ６５で定着器６１内に残存する用紙を排出することにより、定着器６１内の用紙が過剰に加熱されることによる発煙や発火を確実に防止することができる。
【００５４】
なお、上記実施例では、加熱ランプで定着を行う非接触型の定着器を用いる場合について説明したが、本発明は上記実施例に限定されるものではなく、加熱ローラ及び加圧ローラで加熱、加圧を行う接触型の定着器に対しても同様の構成によって発煙や発火を確実に防止することができる。接触型の定着器に対しては、異常発生後に排紙ローラ６５を駆動すると共に定着ローラなどを駆動することによって、定着器からの排紙動作を確実に行うことができる。
【産業上の利用可能性】
【００５５】
本発明は、連続紙を用いる画像形成装置に利用可能である。
【図面の簡単な説明】
【００５６】
【図１】本発明の一実施例に係る画像形成装置の構成を示すブロック図である。
【図２】本発明の一実施例に係る画像形成装置の画像形成部の構造を模式的に示す断面図である。
【図３】本発明の一実施例に係る画像形成装置の画像形成部の他の構造を模式的に示す断面図である。
【図４】本発明の一実施例に係る画像形成装置の画像形成部の他の構造を模式的に示す断面図である。
【図５】本発明の一実施例に係る画像形成装置の裁断器及び定着器の構造及び動作を模式的に示す断面図である。
【図６】本発明の一実施例に係る裁断器の構造及び動作を模式的に示す断面図である。
【図７】本発明の一実施例に係る画像形成装置の排紙ローラの駆動機構の例を模式的に示す断面図である。
【図８】本発明の一実施例に係る画像形成装置の排紙ローラの駆動機構の他の例を模式的に示す断面図である。
【図９】本発明の一実施例に係る画像形成装置の排紙ローラの駆動機構の他の例を模式的に示す断面図である。
【図１０】本発明の一実施例に係る画像形成装置の裁断器の駆動機構の例を示す断面図である。
【符号の説明】
【００５７】
１０  制御部
１１  ＣＰＵ
１２  ＲＯＭ
１３  ＲＡＭ
２０  ＨＤＤ
３０  表示操作部
４０  画像処理部
５０  画像形成部
５１  感光体ドラム
５２  現像器
５３  帯電器
５４  感光体クリーニング部
５５  １次転写ローラ
５６  中間転写ベルト
５７  ベルトクリーニング部
５８  ２次転写ローラ
５９  ローラクリーニング部
６０  裁断器
６１  定着器
６１ａ  加熱ランプ
６１ｂ  反射鏡
６１ｃ  加熱ローラ
６１ｄ  加圧ローラ
６１ｅ  定着器クリーニング
６２  給紙ローラ
６３  ループローラ
６４  レジストローラ
６５  排紙ローラ
６６ａ  第１駆動ギア
６６ｂ  第２駆動ギア
６６ｃ  第３駆動ギア
６７ａ  第１クラッチ
６７ｂ  第２クラッチ
６８  フライホイール
６９  電動モータ
７０  駆動ユニット
７１  分岐スイッチ
７２  蓄電池
７３  装置電源ユニット
７４  ＡＣ電源
７５  ストレートギア
７６  駆動ギア
１００  画像形成装置
【図１】
2010060927.tif 000003
【図２】
2010060927.tif 000004
【図３】
2010060927.tif 000005
【図４】
2010060927.tif 000006
【図５】
2010060927.tif 000007
【図６】
2010060927.tif 000008
【図７】
2010060927.tif 000009
【図８】
2010060927.tif 000010
【図９】
2010060927.tif 000011
【図１０】
2010060927.tif 000012